(57)【要約】【課題】特殊構造をレンズ装置等に組み込むことなく、既存のレンズ装置とカメラ装置を相対的に回転可能に装着することができるアダプター装置を提供する。【解決手段】レンズ装置とカメラ装置の相対的な回転を可能とするアダプター装置において、レンズ装置が着脱自在に装着されるレンズマウント部を有するレンズ装置側リング体と、カメラ装置のレンズマウント部に着脱自在に装着されるボディマウント部を有するカメラ装置側リング体と、前記レンズ装置側リング体に固定されたレンズ装置側リング体固定部、及び、前記カメラ装置側リング体に固定されたカメラ装置側リング体固定部を備えており、前記レンズ装置側リング体と前記カメラ装置側リング体との相対的な回転を可能とする回転支持部と、を備えたことを特徴とする。【選択図】  図２
2008233235.tif 000002
【特許請求の範囲】
【請求項１】
レンズ装置とカメラ装置の相対的な回転を可能とするアダプター装置において、
レンズ装置が着脱自在に装着されるレンズマウント部を有するレンズ装置側リング体と、
カメラ装置のレンズマウント部に着脱自在に装着されるボディマウント部を有するカメラ装置側リング体と、
前記レンズ装置側リング体に固定されたレンズ装置側リング体固定部、及び、前記カメラ装置側リング体に固定されたカメラ装置側リング体固定部を備えており、前記レンズ装置側リング体と前記カメラ装置側リング体との相対的な回転を可能とする回転支持部と、
を備えたことを特徴とするアダプター装置。
【請求項２】
前記カメラ装置側リング体はレンズを保持するレンズ枠を含むことを特徴とする請求項１に記載のアダプター装置。
【発明の詳細な説明】
【技術分野】
【０００１】
本発明は、レンズ装置とカメラ装置の間に配置されるアダプター装置に係り、特に、レンズ装置とカメラ装置の相対的な回転を可能とするアダプター装置に関する。
【背景技術】
【０００２】
従来、レンズ装置とカメラ装置の相対的な回転を可能とする撮像システムが提案されている（例えば特許文献１）。
【０００３】
この特許文献１に記載の撮像システムについて図面を参照しながら説明する。
【０００４】
図４に示すように、特許文献１に記載の撮像システムは、取り付け部に固定されたレンズ装置１´、回転可能なレンズマウント２´、このレンズマウント２´に接合されたプーリ３´、レンズ装置１´に固定されたモータ５´、このモータ５´の回転軸とプーリ３´に架け渡されており、モータ５´の回転をプーリ３´に伝達するためのベルト４´、カメラ装置６´、レンズマウント２´に接合されたカメラマウント７´等を備えている。
【０００５】
この撮像システムにおいては、モータ５´を回転させると、その回転がベルト４´を介してプーリ３´に伝達される。このプーリ３´にはレンズマウント２´が接合しており、かつ、レンズマウント２´にはカメラマウント７´が接合しているので、プーリ３´が回転すると、レンズマウント２´、カメラマウント７´、及び、カメラ装置６´が回転する。これにより、レンズ装置１´とカメラ装置６´が相対的に回転する。
【特許文献１】特開２００２−３５４３２５号公報
【発明の開示】
【発明が解決しようとする課題】
【０００６】
しかしながら、特許文献１においては、回転可能なレンズマウント２´、プーリ３´、ベルト４´、モータ５´等の特殊構造をレンズ装置１´等に組み込まなければならず、既存のレンズ装置とカメラ装置を相対的に回転可能に装着することが困難である。
【０００７】
本発明は、このような事情に鑑みてなされたもので、特殊構造をレンズ装置等に組み込むことなく、既存のレンズ装置とカメラ装置を相対的に回転可能に装着することができるアダプター装置を提供することを目的とする。
【課題を解決するための手段】
【０００８】
請求項１に記載の発明は、レンズ装置と前記カメラ装置の相対的な回転を可能とするアダプター装置において、レンズ装置が着脱自在に装着されるレンズマウント部を有するレンズ装置側リング体と、カメラ装置のレンズマウント部に着脱自在に装着されるボディマウント部を有するカメラ装置側リング体と、前記レンズ装置側リング体に固定されたレンズ装置側リング体固定部、及び、前記カメラ装置側リング体に固定されたカメラ装置側リング体固定部を備えており、前記レンズ装置側リング体と前記カメラ装置側リング体との相対的な回転を可能とする回転支持部と、を備えたことを特徴とする。
【０００９】
請求項１に記載の発明によれば、レンズ装置側リング体には既存のレンズ装置が装着され、カメラ装置側リング体には既存のカメラ装置が装着される。そして、この既存のレンズ装置が装着されたレンズ装置側リング体と既存のカメラ装置が装着されたカメラ装置側リング体とは、回転支持部を介して相対的に回転可能に連結される。
【００１０】
これにより、従来のように特殊構造をレンズ装置等に組み込むことなく、既存のレンズ装置とカメラ装置を相対的に回転可能に装着することが可能となる。
【００１１】
請求項２に記載の発明は、請求項１に記載の発明において、前記カメラ装置側リング体はレンズを保持するレンズ枠を含むことを特徴とする。
【００１２】
請求項２に記載の発明によれば、従来のように特殊構造をレンズ装置等に組み込むことなく、既存のレンズ装置とカメラ装置を相対的に回転可能に装着することが可能となるだけでなく、さらに、各種レンズ機能（例えば、倍率を拡大するためのレンズとしての機能、又は、リレーレンズとしての機能）を発揮させることが可能となる。
【発明の効果】
【００１３】
本発明によれば、特殊構造をレンズ装置等に組み込むことなく、既存のレンズ装置とカメラ装置を相対的に回転可能に装着することができるアダプター装置を提供することが可能となる。
【発明を実施するための最良の形態】
【００１４】
以下、本発明の第一実施形態であるアダプター装置について図面を参照しながら説明する。
【００１５】
図１は、レンズ装置及びカメラ装置を装着した本発明の第一実施形態であるアダプター装置の部分断面図である。図２は、本発明の第一実施形態であるアダプター装置の側面図である。図３は、本発明の第一実施形態であるアダプター装置により連結されたレンズ装置とカメラ装置を、ヘリコプター床面に支持する支持機構を説明するための斜視図である。
【００１６】
図１に示すように、アダプター装置１０は、既存のレンズ装置２０とカメラ装置３０との間に配置され、両者の相対的な回転を可能とする装置であり、レンズ装置側リング体１１、カメラ装置側リング体１２、及び、レンズ装置側リング体１１とカメラ装置側リング体１２との相対的な回転を可能とする回転支持部であるベアリング１３等を備えている。
【００１７】
レンズ装置側リング体１１は、レンズ装置２０が着脱自在に装着されるレンズマウント部１１ａ（マウント面）を有するリング体であり、大リング１１ｂ、及び、小リング１１ｃ等を備えている。
【００１８】
小リング１１ｃにはレンズ（例えば、倍率を拡大するためのレンズ、又は、リレーレンズ）を保持したレンズ枠１１ｅが固定されている。大リング１１ｂの外周面には雄ネジが形成されており、内周面に雌ネジが形成された押さえ用リング１１ｆが螺合している。この押さえ用リング１１ｆを締めつけることでレンズマウント部１１ａ（マウント面）と押さえ用リング１１ｆとの間隔が狭まり、レンズ装置２０はアダプター装置１０（レンズ装置側リング体１１）に着脱自在に固定装着される。なお、図２に示すように、押さえ用リング１１ｆの外周面には操作ツマミ１１ｇが設けられており、この操作ツマミにより押さえ用リングを回転させやすくなっている。
【００１９】
一方、カメラ装置側リング体１２は、カメラ装置３０のレンズマウント部３１（マウント面）に着脱自在に装着されるボディマウント部１２ａを有するリング体であり、大径部１２ｂ、及び、小径部１２ｃ等を備えている。
【００２０】
内周面に雌ネジが形成された押さえ用リング３２がカメラ装置に形成された雄ねじに螺合され、この押さえ用リング３２を締めつけることでカメラ装置３０のレンズマウント部３１（マウント面）と押さえ用リング３２との間隔が狭まり、アダプター装置１０（カメラ装置側リング体１２）はカメラ装置３０に着脱自在に固定装着される。なお、押さえ用リング３２の外周面には操作ツマミ（図２と同様）が設けられており、この操作ツマミにより押さえ用リング３２を回転させやすくなっている。
【００２１】
レンズ装置側リング体１１とカメラ装置側リング体１２との間にはベアリング１３が配置されている。このベアリング１３は、レンズ装置側リング体１１の大リング１１ｂの内周面に固定されたレンズ装置側リング体固定部１３ａ、及び、カメラ装置側リング体１２の大径部１２ｂの外周面に固定されたカメラ装置側リング体固定部１３ｂを備えている。このベアリング１３により、レンズ装置側リング体１１（このレンズ装置側リング体１１に固定装着されたレンズ装置２０）とカメラ装置側リング体１２（このカメラ装置側リング体１２に固定装着されたカメラ装置３０）とが相対的に回転することが可能となる。なお、ベアリング１３は、レンズ装置側リング体１１の大リング１１ｂに螺合するベアリング押さえ用リング１４により保持されている。
【００２２】
上記構成のアダプター装置１０により連結されたレンズ装置２０とカメラ装置３０は、図３に示すように、支持機構４０により支持される。
【００２３】
この支持機構４０は、ヘリコプター床面Ｆに固定されたベース４１を備えている。このベース４１には、そのベース４１に略直交する方向に延びる支持アーム４２が設けられており、この支持アーム４２先端には、ベアリング等を介してプレート４３ａが支持アーム４２を中心に回転可能に設けられている。これにより、レンズ装置２０とカメラ装置３０とをＺ軸回りに（一体的に）回転させることが可能となる。このプレート４３ａの両側それぞれには上方に向かって延びるレンズ装置支持プレート４３ｂ、４３ｂが設けられており、このレンズ装置支持プレート４３ｂ、４３ｂには、Ｙ軸方向に延びる回転軸４４、４４を介してレンズ装置２０が取り付けられている。これにより、レンズ装置２０とカメラ装置３０とをＹ軸回りに（一体的に）回転させることが可能となる。
【００２４】
そして、レンズ装置２０とカメラ装置３０とはアダプター装置１０により連結されているので、カメラ装置３０をレンズ装置２０に対してＸ軸回りに相対的に回転させることが可能となる。
【００２５】
なお、支持機構４０には図示しないモータ等を含む駆動機構が連結されており、レンズ装置２０とカメラ装置３０はヘリコプターの飛行姿勢等に応じて各軸回りに回転制御されるようになっている。
【００２６】
次に、上記構成のアダプター装置１０の使用例について説明する。
【００２７】
まず、レンズ装置２０をアダプター装置１０に装着する。すなわち、図１に示すように、レンズ装置２０のボディマウント部２１をレンズ装置側リング体１１のレンズマウント部１１ａ（マウント面）に押し当て所定装着位置に位置決めし、押さえ用リング１１ｆを締めつける。この押さえ用リング１１ｆを締めつけることでレンズマウント部１１ａ（マウント面）と押さえ用リング１１ｆとの間隔が狭まり、レンズ装置２０はアダプター装置１０（レンズ装置側リング体１１）に着脱自在に固定装着される。
【００２８】
次に、レンズ装置２０が装着されたアダプター装置１０をカメラ装置３０に装着する。すなわち、アダプター装置１０のボディマウント部１２ａをカメラ装置３０側のレンズマウント部３１（マウント面）に押し当て所定装着位置に位置決めし、押さえ用リング３２を締めつける。この押さえ用リング３２を締めつけることでレンズマウント部３１（マウント面）と押さえ用リング３２との間隔が狭まり、カメラ装置３０はアダプター装置１０（カメラ装置側リング体１２）に着脱自在に固定装着される。
【００２９】
これにより、レンズ装置２０とカメラ装置３０を相対的に回転可能に装着することが可能となる。
【００３０】
そして、このアダプター装置１０により連結されたレンズ装置２０とカメラ装置３０を必要に応じて図３に示した支持機構４０に装着し撮影を行う。
【００３１】
なお、上記とは逆に、先にカメラ装置３０をアダプター装置１０に装着し、次に、カメラ装置３０が装着されたアダプター装置１０をレンズ装置２０に装着してもよい。
【００３２】
以上説明したように本実施形態のアダプター装置１０によれば、レンズ装置側リング体１１には既存のレンズ装置２０が装着され、カメラ装置側リング体１２には既存のカメラ装置３０が装着される。そして、この既存のレンズ装置２０が装着されたレンズ装置側リング体１１と既存のカメラ装置３０が装着されたカメラ装置側リング体１２とは、ベアリング１３を介して相対的に回転可能に連結される。
【００３３】
これにより、従来のように特殊構造をレンズ装置等に組み込むことなく、既存のレンズ装置２０とカメラ装置３０を相対的に回転可能に装着することが可能となる。
【００３４】
また、従来のように特殊構造をレンズ装置等に組み込むことなく、既存のレンズ装置２０とカメラ装置３０を相対的に回転可能に装着することが可能となるだけでなく、さらに、各種レンズ機能（例えば、倍率を拡大するためのレンズとしての機能、又は、リレーレンズとしての機能）を発揮させることが可能となる。
【００３５】
なお、本実施形態においては、アダプター装置１０により連結されたレンズ装置２０とカメラ装置３０は、図３に示すように、支持機構４０によりヘリコプターに支持されるように説明したが本発明はこれに限定されない。例えば、移動に伴い撮影姿勢が変化する移動体（自動車、鉄道車両、飛行機等）に装着することも可能である。
【００３６】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００３７】
【図１】レンズ装置及びカメラ装置を装着した本発明の第一実施形態であるアダプター装置の部分断面図である。
【図２】本発明の第一実施形態であるアダプター装置の側面図である。
【図３】本発明の第一実施形態であるアダプター装置により連結されたレンズ装置とカメラ装置を、ヘリコプター床面に支持する支持機構を説明するための斜視図である。
【図４】従来例を説明するための図である。
【符号の説明】
【００３８】
１０…アダプター装置、１１…レンズ装置側リング体、１１ａ…レンズマウント部、１１ｂ…大リング、１１ｃ…小リング、１１ｄ…プレート、１１ｅ…レンズ枠、１１ｆ…押さえ用リング、１１ｇ…操作ツマミ、１２…カメラ装置側リング体、１２ａ…ボディマウント部、１２ａ…ボディマウント部、１２ｂ…大リング、１２ｃ…小リング、１２ｄ…プレート、１３…ベアリング、１３ａ…レンズ装置側リング体固定部、１３ｂ…カメラ装置側リング体固定部、１４…押さえ用リング、２０…レンズ装置、２１…ボディマウント部、３０…カメラ装置、３１…レンズマウント部、３２…押さえ用リング、４０…支持機構、４１…ベース、４２…支持アーム、４３ａ…プレート、４３ｂ…レンズ装置支持プレート、４４…回転軸、Ｆ…ヘリコプター床面
【図１】
2008233235.tif 000003
【図２】
2008233235.tif 000004
【図３】
2008233235.tif 000005
【図４】
2008233235.tif 000006